(57)【要約】  本発明は、投影距離や表示方向に関して虚像の表示範囲を広げることで表示の自由度を高めつつ高速の表示駆動を可能にする表示装置を提供することを目的とする。  本発明の表示装置であるヘッドアップディスプレイ装置（２００）は、ＤＭＤ又はＬＣＯＳである反射型表示素子を有し、表示像を形成する表示デバイス（１１）と、表示デバイス（１１）によって形成された表示像を投影して投影像（虚像）ＩＭを形成する表示光学系（３０）と、表示光学系（３０）による投影像（虚像）（ＩＭ）の投影位置を変更する際に、表示デバイス（１１）を光軸ＡＸ方向及び光軸ＡＸ方向に垂直な面内の所定方向の少なくとも一方に移動させるデバイス駆動部（１４）とを備える。
2019151314.tif 000002
【特許請求の範囲】
【請求項１】
ＤＭＤ又はＬＣＯＳである反射型表示素子を有し、表示像を形成する表示デバイスと、  前記表示デバイスによって形成された前記表示像を投影して虚像を形成する表示光学系と、  前記表示光学系による前記虚像の投影位置を変更する際に、前記表示デバイスを光軸方向及び前記光軸方向に垂直な面内の所定方向の少なくとも一方に移動させるデバイス駆動部と、を備える表示装置。
【請求項２】
前記デバイス駆動部は、ピエゾ素子を用いたアクチュエーターである、請求項１項に記載の表示装置。
【請求項３】
観察者の視点位置を検出する視点検出部と、  前記視点検出部によって得た視点位置に応じて、前記デバイス駆動部を動作させることによって前記表示デバイスを前記所定方向に移動させる制御部と、をさらに備える、請求項１及び２のいずれか一項に記載の表示装置。
【請求項４】
前記制御部は、前記デバイス駆動部による前記表示デバイスの前記所定方向の移動に同期した画像を前記表示デバイスに表示させる、請求項３に記載の表示装置。
【請求項５】
前記表示光学系は、前記表示デバイスからの映像光を投影して中間像を形成する第１投影光学系と、前記第１投影光学系によって形成された前記中間像を拡大投影する第２投影光学系とを有する、請求項１〜４のいずれか一項に記載の表示装置。
【請求項６】
前記中間像の位置に拡散作用を有する中間スクリーンを設けた、請求項５に記載の表示装置。
【請求項７】
前記中間スクリーンを前記光軸方向に移動させるスクリーン駆動部をさらに備える、請求項６に記載の表示装置。
【請求項８】
前記デバイス駆動部による前記表示デバイスの前記光軸方向に関する駆動範囲は、前記表示光学系の焦点深度の範囲内である、請求項５〜７のいずれか一項に記載の表示装置。
【請求項９】
前記デバイス駆動部による前記表示デバイスの前記光軸方向に関する駆動と、前記中間像を形成するための中間スクリーンの駆動とは同期しており、駆動している間で両者の位置関係が光学的に共役又は前記表示光学系の焦点深度の範囲内となるように制御する、請求項５〜８のいずれか一項に記載の表示装置。
【発明の詳細な説明】
【技術分野】
【０００１】  本発明は、虚像の投影位置を可変とした表示装置に関するものである。
【背景技術】
【０００２】  表示装置として、表示素子に表示した画像を投影するための投影光学系と、画像を虚像として表示する表示スクリーンとを備えるヘッドアップディスプレイ（以下ＨＵＤ（Head-Up Display）とも称する）装置が存在する。ＨＵＤ装置は、運転中のドライバーが視線や視点を大きく動かすことなく表示を確認することができる点で、従来の速度メーターその他のインパネ（instrument panel）に情報表示する装置に比べ危険性を減らせるメリットがある。今後、ドライバーの安全運転を支援するための表示装置としてＨＵＤ装置が積極的に用いられることが予想され、その際、伝えるべき危険情報や、注意すべき情報をドライバーに確実に伝える必要がある。ドライバーに対してより確実に情報を伝えるには、例えば運転中の前方でドライバーが注意すべき対象であるターゲットについて、そのターゲットから大きく目線や視点をずらすことなく、危険等の情報を認識できるような表示が望まれる。【０００３】  例えば特許文献１の装置では、虚像形成用の光学系において、配置が異なる複数の表示パネルを用いて虚像を形成することで、可動部を設けないで虚像までの表示距離を変えている。【０００４】  しかしながら、特許文献１の装置は、各表示パネルの位置とこれによる表示距離とが固定となるため、虚像の投影距離を設定すれば虚像の表示方向が制限され、虚像の表示方向を設定すれば虚像の投影距離が制限され、表示の自由度が制限される。【０００５】  また、特許文献２では、自動車等のフロントガラスをコンバイナーとして使用するヘッドアップディスプレイにおける虚像のコントロール方法及び虚像のコントロール装置が示されており、凹面鏡をターニングミラーとして用い、該凹面鏡の虚像点を出現させる範囲内で表示器を移動させることにより、出現する虚像の焦点距離と大きさとをコントロールしている。【０００６】  しかしながら、特許文献２の装置では、表示器として液晶を使用したＬＣＤを用いており、バックに光源を配置すること等から、移動させる表示器全体の重量が重く、例えば表示器を高速に駆動させるとともに虚像を投影する距離を高速に変化させて、観察者（ドライバー）が表示を３Ｄ的に観察できる装置等を考えた場合、高速な駆動が困難となり望ましくない。
【先行技術文献】
【特許文献】
【０００７】
【特許文献１】特開２００４−１６８２３０号公報
【特許文献２】特開平６−１１５３８１号公報
【発明の概要】
【０００８】  本発明は、投影距離や表示方向に関して虚像の表示範囲を広げることで表示の自由度を高めつつ高速の表示駆動を可能にする表示装置を提供することを目的とする。
【０００９】  上述した目的のうち少なくとも一つを実現するために、本発明の一側面を反映した表示装置は、ＤＭＤ又はＬＣＯＳである反射型表示素子を有し表示像を形成する表示デバイスと、表示デバイスによって形成された表示像を投影して虚像を形成する表示光学系と、表示光学系による虚像の投影位置を変更する際に、表示デバイスを光軸方向及び光軸方向に垂直な面内の所定方向の少なくとも一方に移動させるデバイス駆動部と、を備える。
【図面の簡単な説明】
【００１０】
【図１】図１Ａは、第１実施形態の表示装置であるヘッドアップディスプレイ装置を車体に搭載した状態を示す側方断面図であり、図１Ｂは、ヘッドアップディスプレイ装置を説明する車内側からの正面図である。
【図２】表示装置であるヘッドアップディスプレイ装置を構成する投影光学系等の具体的な構成例を説明する拡大側方断面図である。
【図３】デバイス駆動部を説明する側面図である。
【図４】図４Ａ及び４Ｂは、中間スクリーンを組み込んだ拡散部の構造を説明する一部破断平面図及び一部破断側面図である。
【図５】図５Ａ及び５Ｂは、回転体の基準軸の設定について説明する部分側断面図であり、図５Ｃは、中間スクリーンの回転に伴う機能領域の移動を説明する図である。
【図６】中間像の位置の変化を具体的に例示する図である。
【図７】中間像の位置と投影距離との関係を示すとともに、表示ゾーン及び距離ゾーンを説明する図である。
【図８】ヘッドアップディスプレイ装置の全体構造を説明するブロック図である。
【図９】具体的な表示状態を説明する斜視図である。
【図１０】図１０Ａは、図６に対応し、図１０Ｂ〜１０Ｄは、図９中の投影像又はフレーム枠に対応している。
【図１１】図８に示すヘッドアップディスプレイ装置の動作例を説明する図である。
【図１２】表示ゾーンでの表示の切替えの一例を説明する概念図である。
【図１３】第２実施形態の表示装置又はヘッドアップディスプレイ装置を説明する図である。
【図１４】第２実施形態における中間像の位置の変化を具体的に例示する図である。
【発明を実施するための形態】
【００１１】〔第１実施形態〕  以下、図面を参照しつつ、本発明に係る第１実施形態の表示装置について説明する。
【００１２】  図１Ａ及び１Ｂは、実施形態の表示装置としてのヘッドアップディスプレイ装置のうち画像表示装置１００を説明する概念的な側方断面図及び正面図である。この画像表示装置１００は、例えば自動車の車体２内に搭載されるものであり、投影ユニット１０と表示スクリーン２０とを備える。画像表示装置１００は、投影ユニット１０中の後述する表示デバイス１１に表示されている画像情報を表示スクリーン２０を介して観察者であるドライバーＶＤに向けて虚像表示するものであり、表示装置とも呼ぶこともある。
【００１３】  画像表示装置１００のうち投影ユニット１０は、車体２のダッシュボード４内であってディスプレイ５０の背後に埋め込むように設置されており、運転関連情報等を含む画像に対応する映像光である表示光ＤＬを表示スクリーン２０に向けて射出する。表示スクリーン２０は、コンバイナーとも呼ばれ、半透過性を有する凹面鏡又は平面鏡である。表示スクリーン２０は、下端の支持によってダッシュボード４上に立設され、投影ユニット１０からの表示光（映像光）ＤＬを車体２の後方に向けて反射する。つまり、図示の場合、表示スクリーン２０は、フロントウインドウ８とは別体で設置される独立型のものとなっている。表示スクリーン２０で反射された表示光ＤＬは、運転席６に座ったドライバーＶＤの瞳ＰＵ及びその周辺位置に対応するアイボックスＥＢに導かれる。ドライバーＶＤは、表示スクリーン２０で反射された表示光ＤＬ、つまり車体２の前方にある虚像としての投影像ＩＭを観察することができる。一方、ドライバーＶＤは、表示スクリーン２０を透過した外界光、つまり前方景色、自動車等の実像を観察することができる。結果的に、観察者であるドライバーＶＤは、表示スクリーン２０の背後の外界像又はシースルー像に重ねて、表示スクリーン２０での表示光ＤＬの反射によって形成される運転関連情報等の関連情報を含む投影像（虚像）ＩＭを観察することができる。
【００１４】  ここで、表示スクリーン２０をフロントウインドウ８と別体で構成しているが、フロントウインドウ８を表示スクリーンとして用い、フロントウインドウ８内に設定した表示範囲に投影を行って、ドライバーＶＤが投影像ＩＭを観察できる構成としても構わない。この際、フロントウインドウ８のガラスの一部領域の反射率をコート等によって変更することで、反射領域を確保することができる。また、フロントウインドウ８での反射角度が例えば６０度程度であれば、反射率が１５％程度確保され、特にコートを設けなくても透過性を有する反射面として用いることができる。これら以外に、フロントウインドウ８のガラス中にサンドイッチする構成で表示スクリーンを設けることもできる。
【００１５】  図２に示すように、投影ユニット１０は、表示デバイス１１と、虚像型の拡大結像系である本体光学系１３と、表示デバイス１１を光軸ＡＸ方向及び光軸ＡＸ方向に垂直な面内の所定方向の少なくとも一方に移動させるデバイス駆動部１４と、表示デバイス１１等の動作制御する表示制御部１８と、表示デバイス１１、デバイス駆動部１４、本体光学系１３、表示制御部１８等を収納するハウジング１２とを備える。これらのうち本体光学系１３と表示スクリーン２０とを組み合わせたものは、表示光学系３０を構成する。
【００１６】  表示デバイス１１は、２次元的な表示面１１ａを有する表示素子である。表示デバイス１１は、光源によって照明される光変調型の表示装置となっている。表示デバイス（表示素子）１１の表示面１１ａに形成された像は、結像光学系（第１投影光学系）１５で拡大されて拡散部１６に設けた螺旋面状の中間スクリーン１９に投影される。この際、２次元表示が可能な表示デバイス１１を用いることで、中間スクリーン１９に対する投影像ＩＭの切替え、つまり表示スクリーン２０越しに虚像として表示される投影像ＩＭの切替えを比較的高速とできる。表示デバイス１１は、バックライトが不要で小型で高速制御可能な反射型の素子であり、具体的にはＤＭＤ（Digital Mirror Device）やＬＣＯＳ（Liquid crystal on silicon）がある。表示デバイス１１としてＤＭＤ又はＬＣＯＳを用いると、それ自体を高速で移動させることができるだけでなく、明るさを維持しつつ画像を高速で切替えること（高速の間欠表示を含む）が容易であり、虚像距離又は投影距離を変化させる表示に有利である。なお、表示デバイス１１は、表示距離を変化させる場合には、それぞれの投影距離に対して３０ｆｐｓ以上、更に望ましくは６０ｆｐｓ以上のフレームレートで動作する。これにより、異なる投影距離に複数の投影像（虚像）ＩＭをドライバー（観察者）ＶＤに対して同時に表示されているように見せることが可能になる。特に、９０ｆｐｓ以上で表示の切替えを行う場合、ＤＭＤやＬＣＯＳが表示デバイス１１として望ましい。なお、投影像ＩＭは、例えば眼前のオブジェクトを囲むフレーム枠のような標識とすることができる。
【００１７】  図３に示すように、デバイス駆動部１４は、表示デバイス１１を光軸ＡＸ方向又はＹ方向に移動させる第１駆動部１４ａと、表示デバイス１１を光軸ＡＸ方向に垂直な面内のＸ方向に移動させる第２駆動部１４ｂと、表示デバイス１１を光軸ＡＸ方向に垂直な面内のＺ方向に移動させる第３駆動部１４ｃとを有する。第１〜第３駆動部１４ａ，１４ｂ，１４ｃは、ピエゾ素子１４ｅ，１４ｆ，１４ｇを用いたアクチュエーターである。デバイス駆動部１４がピエゾ素子１４ｅ，１４ｆ，１４ｇを用いたアクチュエーターであることにより、表示デバイス１１の移動量の制御が高速かつ比較的精密になり、小型の機構によって高速に虚像位置を変えながら高精度の表示が可能になる。第１駆動部１４ａは、ピエゾ素子１４ｅに付随する回路の他に表示デバイス１１の光軸ＡＸ方向の移動を案内するガイドを備える。第２駆動部１４ｂは、ピエゾ素子１４ｆに付随する回路の他に表示デバイス１１の±Ｘ方向の移動を案内するガイドを備える。第３駆動部１４ｃは、ピエゾ素子１４ｇに付随する回路の他に表示デバイス１１の±Ｚ方向の移動を案内するガイドを備える。第１駆動部１４ａによって、表示デバイス１１を光軸ＡＸ方向に移動させることができ、後述するように、投影距離の変化に対応して表示状態を維持することができる。また、第２駆動部１４ｂによって、表示デバイス１１を±Ｘ方向に移動させることができ、移動させない場合に比較して、横のＸ方向に関して視野角を拡大したり、Ｘ方向のアイボックスサイズを拡大したりすることができる。また、第３駆動部１４ｃによって、表示デバイス１１を±Ｚ方向に移動させることができ、移動させない場合に比較して、縦のＺ方向に関して視野角を拡大したり、Ｚ方向のアイボックスサイズを拡大したりすることができる。
【００１８】  図２に戻って、本体光学系１３は、表示デバイス１１に形成された画像を拡大した中間像ＴＩを形成する第１投影光学系である結像光学系１５と、中間像ＴＩを虚像に変換する第２投影光学系である虚像形成光学系１７と、投影用の両光学系１５，１７間に配置される拡散部１６とを備える。
【００１９】  第１投影光学系である結像光学系１５は、特にレンズや可動機構を有していないが、合焦位置変更部を有することも可能である。ここで、合焦位置変更部は、表示光学系３０による投影距離の変化に合わせて動作する部分であり、表示制御部１８の制御下で、例えば表示デバイス１１の駆動だけでは中間スクリーン１９の駆動範囲まで動作させることができず、そのままではフォーカスボケが生じてしまう場合等に、フォーカス駆動部１５ｃに駆動されてフォーカスボケ等を抑える機能を有する。
【００２０】  拡散部１６は、結像光学系（第１投影光学系）１５による投影位置又は結像位置（つまり中間像の結像予定位置又はその近傍）に配置され、回転体１６ａと中空枠体１６ｂとを有し、スクリーン駆動部である回転駆動部６４に駆動されて例えば一定速度で基準軸ＳＸの周りに回転する。
【００２１】  図４Ａは、拡散部１６を説明する正面図であり、図４Ｂは、拡散部１６を説明する側方断面図である。拡散部１６は、全体として円板に近い輪郭を有する螺旋状の回転体１６ａと、回転体１６ａを収納する円筒状の中空枠体１６ｂとを有する。
【００２２】  回転体１６ａは、中央部１６ｃと外周光学部１６ｐとを有する。回転体１６ａの外周光学部１６ｐに形成された一方の表面１６ｆは、平滑面又は光学面に形成されており、表面１６ｆ上には、全域に亘って中間スクリーン１９が形成されている。回転体１６ａの表面１６ｆは、立体形状部１１６として機能する。中間スクリーン１９は、配光角を所望の角度に制御した拡散板であり、拡散度（拡散分布の半値強度の拡散角）が例えば２０°以上である。中間スクリーン１９は、回転体１６ａに貼り付けられるシートとできるが、回転体１６ａの表面に形成された微細な凹凸パターンであってもよい。さらに、中間スクリーン１９は、回転体１６ａの内部に埋め込むように形成されたものであってもよい。中間スクリーン１９は、入射した表示光ＤＬを拡散させることによって中間像ＴＩを形成する（図２参照）。中間像ＴＩの位置に拡散作用を有する中間スクリーン１９を設けることにより、中間スクリーン１９に形成された像を拡大投影することができ、視野角とアイボックスＥＢとを大きく確保することができる。回転体１６ａの外周光学部１６ｐに形成された他方の表面１６ｓは、平滑面又は光学面に形成されている。回転体１６ａは、光透過性を有する螺旋状の部材であり、一対の表面１６ｆ，１６ｓは、基準軸ＳＸを螺旋軸とする螺旋面となっている。結果的に、一方の表面１６ｆ上に形成された中間スクリーン１９も連続的な螺旋面に沿って形成されたものとなっている。回転体１６ａは、基準軸ＳＸ又は光軸ＡＸ方向に関して略等しい厚みｔを有する。中間スクリーン１９は、螺旋の一周期に対応する範囲に形成されている。つまり、中間スクリーン１９は、螺旋の１ピッチ分の範囲に形成されている。この結果、拡散部１６の周に沿った一箇所に段差部１６ｊが形成されている。段差部１６ｊは、螺旋端間の段差を繋ぐとともに、拡散部１６を回転させる基準軸ＳＸを含む平面に対して傾斜した接続面１６ｋを有する。
【００２３】  回転体１６ａにおいて、周方向に沿った一箇所は、本体光学系１３の光軸ＡＸが通る機能領域ＦＡとなっており、機能領域ＦＡにおける中間スクリーン１９の部分によって中間像ＴＩが形成される。この機能領域ＦＡは、回転体１６ａの回転に伴って回転体１６ａ上において一定速度で移動する。つまり、回転体１６ａを回転させつつその一部である機能領域ＦＡに表示光（映像光）ＤＬを入射させることで、機能領域ＦＡ又は中間像ＴＩの位置が光軸ＡＸに沿って往復移動する（表示デバイス１１の表示が動作していなければ、必ずしも表示としての中間像は形成されないが、中間像が形成されるであろう位置も中間像の位置と呼ぶ）。図示の例では、中間スクリーン１９が螺旋の一周期に対応する範囲に形成されているので、回転体１６ａの１回転で中間スクリーン１９の機能領域ＦＡ又は中間像ＴＩは、光軸ＡＸ方向に段差に相当する距離だけ１往復することになる。
【００２４】  なお、第１駆動部１４ａは、回転体１６ａの回転位置に応じて同期動作しており、中間スクリーン１９の機能領域ＦＡの位置に応じて表示デバイス１１を光軸ＡＸ方向又はＹ方向に移動させる。ここで、デバイス駆動部を構成する第１駆動部１４ａによる表示デバイス１１の光軸ＡＸ方向に関する駆動と、中間スクリーン１９の光軸ＡＸ方向に関する駆動とは同期したものとなっている。また、表示デバイス１１と中間スクリーン１９とを駆動している間、表示デバイス１１と中間スクリーン１９との位置関係が光学的に共役となるように保たれている。これにより、投影距離に関わらず虚像のぼけを生じさせないで駆動することができる。つまり、第１駆動部１４ａによって中間像ＴＩのフォーカシングが行われ、中間スクリーン１９の位置によって中間像ＴＩにピントぼけが殆ど生じないようにしている。デバイス駆動部１４による表示デバイス１１の光軸ＡＸ方向に関する駆動範囲は、表示光学系３０において中間像ＴＩの移動も考慮した焦点深度の範囲内である。この場合、例えば中間スクリーン１９の駆動量を小さくしながら投影距離に関わらず虚像のぼけが生じないで虚像投影距離を変えた表示が可能となる。第１駆動部１４ａを設けない場合、中間スクリーン１９の位置によってピントぼけが生じないように、結像光学系（第１投影光学系）１５が機能領域ＦＡの移動範囲以上の所定の焦点深度を有するものとするか、又は結像光学系１５が合焦機能を持つものとする。
【００２５】  中空枠体１６ｂは、円柱状の外形輪郭を有し、側面部１６ｅと一対の端面部１６ｇ，１６ｈとで構成される。側面部１６ｅと一対の端面部１６ｇ，１６ｈとは、光透過性を有する同一の材料で形成されている。ただし、側面部１６ｅは、光透過性を有していなくてもよい。一方の端面部１６ｇの主面６３ａ，６３ｂは、互いに平行な平滑面又は光学面となっており、他方の端面部１６ｈの主面６４ａ，６４ｂも、互いに平行な平滑面又は光学面となっている。ここで、主面６３ａ，６３ｂ又は主面６４ａ，６４ｂは必ずしも平行な平面でなくてもよく、少なくとも機能領域ＦＡに相当する範囲を自由曲面形状や非球面形状とすれば、例えば性能確保が難しい高倍率の光学系においても、光学系に要求される歪みや像面性等の像性能を確保することが可能となるので、必要に応じて望ましい面形状を選択すればよい。中空枠体１６ｂ中の回転体１６ａは、一対の中心軸部６５を介して中空枠体１６ｂに固定されており、中空枠体１６ｂと回転体１６ａとは基準軸ＳＸの周りに一体的に回転する。このように、中間スクリーン１９を設けた回転体１６ａを中空枠体１６ｂ中に配置することで、回転体１６ａに塵等が付着することを抑制でき、回転体１６ａの回転に伴う音の発生を抑制することができ、回転体１６ａの高速での回転を安定化させることが容易になる。なお、回転体１６ａは、その外周部分において中空枠体１６ｂに固定してもよい。この場合、拡散部１６の厚みを薄くすることが容易になる。
【００２６】  図５Ａ及び５Ｂを参照して、回転体１６ａ（又は立体形状部１１６）の基準軸ＳＸの設定について説明する。回転体１６ａの基準軸ＳＸは、本体光学系１３の光軸ＡＸに対して非平行な状態で僅かに傾いて配置されている。ここで、回転体１６ａ上の中間スクリーン１９は、その局所的な機能領域ＦＡが本体光学系１３の光軸ＡＸ方向に対して略直交するように配置される。つまり、図５Ａに示すように、回転体１６ａを光軸ＡＸから機能領域ＦＡのある横方向に離れた視点で観察した場合、基準軸ＳＸは、光軸ＡＸに対して所定角度αだけ傾斜した状態となっており、図５Ｂに示すように、回転体１６ａを基準として図５Ａの場合と直交する方向に離れた視点で観察した場合、基準軸ＳＸは、光軸ＡＸに対して所定間隔ｄだけ離れた状態となっている。なお、図５Ａにおいて一点鎖線で示す第１位置ＰＯ１は、機能領域ＦＡ又は中間像ＴＩが最も光路上流側に位置した場合を示し、同様に一点鎖線で示す第２位置ＰＯ２は、機能領域ＦＡ又は中間像ＴＩが最も光路下流側に位置した場合を示している。これらの位置ＰＯ１，ＰＯ２間の距離Ｄは、機能領域ＦＡ又は中間像ＴＩの光軸ＡＸ方向の変位量に相当するものである。
【００２７】  図２に戻って、スクリーン駆動部である回転駆動部６４によって拡散部１６を一定速度で基準軸ＳＸの周りに回転させることで、回転体１６ａの中間スクリーン１９（又は立体形状部１１６）が光軸ＡＸと交差する位置（つまり機能領域ＦＡ）も光軸ＡＸ方向に移動する。つまり、図５Ｃに示すように、回転体１６ａの回転に伴って、中間スクリーン１９上の機能領域ＦＡは、例えば等角度でずれた位置に設定された隣接する機能領域ＦＡ’に順次シフトし、光軸ＡＸ方向に移動する。このような機能領域ＦＡの光軸ＡＸ方向への移動により、中間像ＴＩの位置も光軸ＡＸ方向に移動させることができる。詳細は後述するが、例えば中間像ＴＩの位置を表示デバイス（表示素子）１１側に移動させることにより、投影像ＩＭまでの投影距離又は虚像距離を増加させることができる。また、中間像ＴＩの位置を虚像形成光学系１７側に移動させることにより、投影像ＩＭまでの投影距離又は虚像距離を減少させることができる。
【００２８】  虚像形成光学系（第２投影光学系）１７は、結像光学系（第１投影光学系）１５によって形成された中間像ＴＩを表示スクリーン２０と協働して拡大し、観察者であるドライバーＶＤの前方に虚像としての投影像ＩＭを形成する。虚像形成光学系１７は、少なくとも１枚のミラーで構成されるが、図示の例では２枚のミラー１７ａ，１７ｂを含む。虚像形成光学系（第２投影光学系）１７は、回転体１６ａの機能領域ＦＡにおける中間スクリーン１９の湾曲（つまり中間像ＴＩの像面湾曲）を補正するような光学特性を有するものとできる。
【００２９】  図２等に示す画像表示装置１００において、表示制御部１８の制御下で回転駆動部６４を動作させることで、拡散部１６が基準軸ＳＸの周りに回転して機能領域ＦＡに対応する中間像ＴＩの位置が光軸ＡＸ方向に繰り返し周期的に移動し、虚像形成光学系１７によって表示スクリーン２０の背後に形成される虚像としての投影像ＩＭと観察者であるドライバーＶＤとの距離を大きく、又は小さくすることができる。このように、投影される投影像ＩＭの位置を前後に変化させるとともに、表示制御部１８の制御下で、表示デバイス１１を中間像ＴＩの配置に同期させて光軸ＡＸ方向に同期して移動させつつ、表示デバイス（表示素子）１１による表示内容をその位置に応じたものとすることで、投影像ＩＭまでの投影距離又は虚像距離を変化させつつ投影像ＩＭの表示内容を変化させることになり、一連の投影像としての投影像ＩＭを３次元的なものとすることができる。なお、機能領域ＦＡが光軸ＡＸ方向に移動しても、機能領域ＦＡにおける中間スクリーン１９の湾曲状態は維持されるので、投影像ＩＭの位置に関わらず虚像形成光学系（第２投影光学系）１７による補正の効果は維持される。
【００３０】  拡散部１６若しくは回転体１６ａの回転速度又は機能領域ＦＡの移動速度は、後に詳述するように虚像としての投影像ＩＭが奥行き方向に関して複数個所又は複数投影距離に同時に表示されているかのように見せることができる速度であることが望ましい。ここで、各距離ゾーン（後述するサブゾーン）の投影像ＩＭを３０ｆｐｓ以上、望ましくは６０ｆｐｓ以上で切替えれば、表示される複数の画像が視覚的には連続的な画像として認識される。例えば、拡散部１６の動作に伴って投影像ＩＭが近距離から遠距離までに５段階で順次投影されるものとして、表示デバイス１１に２００ｆｐｓで表示を行わせると、各距離（例えば近距離）の投影像ＩＭは、４０ｆｐｓで表示の切替えが行われることになり、各距離ゾーンの投影像ＩＭが並列的に行われかつ切替えが略連続的なものとして認識される。
【００３１】  図６は、拡散部１６の回転に伴う中間像ＴＩの位置の変化を具体的に例示する図である。拡散部１６の機能領域ＦＡは、光軸ＡＸ方向に沿って鋸歯状の経時パターンＰＡで繰り返し周期的に移動しており、中間像ＴＩの位置も、表示デバイス（表示素子）１１が連続表示を行っている場合、図示のように光軸ＡＸ方向に沿って鋸歯状の経時パターンＰＡで繰り返し周期的に移動する。つまり、中間像ＴＩの位置は、段差部１６ｊに対応する箇所で不連続的ながら、拡散部１６の回転に伴って連続的かつ周期的に変化する。この結果、図示を省略するが、投影像（虚像）ＩＭの位置も、スケールは異なるが、中間像ＴＩの位置と同様に光軸ＡＸ方向に沿って繰り返し周期的に移動し、投影距離を連続的に変化させることができる。ここで、表示デバイス１１は、連続表示を行うものでなく、表示内容を切り替りえつつ間欠的な表示を行うものであるから、中間像ＴＩの表示位置も鋸歯状の経時パターンＰＡ上における離散的な位置となる。経時パターンＰＡにおいて、最も近距離側又は虚像形成光学系１７寄りの表示位置Ｐｎと、最も遠距離側又は反虚像形成光学系１７寄りの表示位置Ｐｆとは、マージンを確保して、経時パターンＰＡの両端から所定量だけ離れた位置に設定される。また、経時パターンＰＡの途切れ目ＰＤは、拡散部１６の回転体１６ａに設けた段差部１６ｊに対応する。
【００３２】  ここで、ある距離ゾーンの画像について表示を行う場合、図６に示すように表示している時間内で中間像ＴＩの位置が変化することで、表示している奥行き方向の距離が変化する。この際、そのように奥行き方向の距離が変化する表示ゾーンについて観察者（ドライバーＶＤ）に見える表示距離は、その表示時間内で変化する奥行き方向の距離の略平均位置となる。
【００３３】  図７は、中間像ＴＩの位置と投影距離との関係又は中間像ＴＩの位置と表示ゾーンとの関係を説明する図である。一点鎖線で示す特性Ｃ１に従って、中間像ＴＩを光軸ＡＸ方向に等しい速度で移動させた場合において、各距離ゾーンの切替時間の刻みδを一定値とすれば、投影距離の刻み幅は、近距離では短く、遠距離では長くなる。中間像ＴＩの移動の刻み幅Δは、表示する距離ゾーンの切替時間に相当する均等なものとなっている。
【００３４】  図６に示す中間像ＴＩの位置の両端間を移動する時間を１周期と考えた場合、奥行きを持つ表示の単位を表示ゾーンとして、その１周期の時間が各表示ゾーンの表示時間と表示ゾーン数ｎとの積よりも短い時間であれば、表示ゾーンは複数の距離ゾーンに亘るものとなり、少なくとも隣り合う表示ゾーンで投影距離範囲に重なりが生じる（図７の表示ゾーンＤＺ１〜ＤＺｎ参照）。このように投影距離に関して重ねた表示を行うことで、同一の投影像（虚像）ＩＭを奥行方向に広がりを持たせて表示することができ、重なりを生じない表示に比較して各表示ゾーンの表示時間を長くすることが可能となり、投影像（虚像）ＩＭの輝度が向上する。
【００３５】  図７に例示するように、特性Ｃ１に沿ってｎ個の表示ゾーンを設定することができる。ここで、説明の便宜上、最も近距離の表示ゾーンを第１表示ゾーンＤＺ１と呼び、最も遠距離の表示ゾーンを第ｎ表示ゾーンＤＺｎ（ｎは自然数）と呼ぶ。複数の表示ゾーンＤＺ１〜ＤＺｎは、近距離から遠距離になるに従って表示する距離幅が広がっている。複数の表示ゾーンＤＺ１〜ＤＺｎのうち隣り合う表示ゾーンは、投影距離が部分的に重複しており、各表示ゾーンは、本来投影距離を異ならせるべきものを含む。すなわち、第ｋ表示ゾーンＤＺｋ（ｋはｎより小さい自然数）と第ｋ＋１表示ゾーンＤＺｋ＋１とは、投影距離が部分的に重複し、例えば第２表示ゾーンＤＺ２と第３表示ゾーンＤＺ３とは、投影距離が部分的に重複している。第ｋ表示ゾーンＤＺｋは、そこに表示すべき表示対象の投影距離の本来の表示像に対して、その前、後、又は前後の双方で設定される表示ゾーンで表示する像も合せて表示した複合的な投影像となっている。図示の例では、第ｋ表示ゾーンＤＺｋを表示している間の全体又はある一定時間内では４区間分の距離ゾーン又はサブゾーンＬＺｋ−２〜ＬＺｋ＋１に相当するそれぞれの像が重なった状態の表示がされている。この場合、それぞれの表示ゾーンＤＺ１〜ＤＺｎで表示される像の表示時間は、表示時間の刻みδのピッチで隣り合う表示ゾーンＤＺ１〜ＤＺｎ間でズレがあるため、その分表示されている間の近側と遠側との両端の距離が変動してその平均距離も変動する。人の目又は脳は、その表示ゾーンＤＺ１〜ＤＺｎの平均距離で表示像を捉えるので、視覚的に同時に表示を行っている場合でも、それぞれの表示ゾーンＤＺ１〜ＤＺｎの表示距離を異なる位置として表示している状態にできる。
【００３６】  なお、第ｋ表示ゾーンＤＺｋを重なり合う距離ゾーンが切り替わるタイミングで分割して、基準サブゾーンＬＺｋを含む一連のサブゾーンＬＺｋ−２〜ＬＺｋ＋１として考えた場合、表示デバイス（表示素子）１１に適宜表示動作を行わせることにより同一の投影像（虚像）ＩＭをそれぞれのサブゾーンで表示させていることになる。つまり、距離が段階的に変化する一連の複数のサブゾーンＬＺｋ−２〜ＬＺｋ＋１の組合せによって表示ゾーンＤＺｋが構成される。見方を変えれば、着目する１つの基準サブゾーンＬＺｋに対応する距離ゾーンに投影したい局所的な像は、４つの表示ゾーンＤＺｋ−２〜ＤＺｋ＋１に重複して繰り返し表示されるので、各距離ゾーンに投影される局所的な像は、輝度を一様に向上させたものとなる。この際、投影距離の変化を考慮して、隣り合う表示ゾーンＤＺｋ−２〜ＤＺｋ＋１に共通する距離ゾーン（サブゾーンＬＺｋ−２〜ＬＺｋ＋１に対応）に投影される共通の局所的な投影像（虚像）ＩＭを位置及び角度サイズが一致するように重ねて表示させる。これにより、投影距離が変化する投影像（虚像）ＩＭをズレや滲みがない状態で表示することができる。また、この時の平均的な表示距離が、基準サブゾーンＬＺｋに相当する距離となる。なお、図７では、表示の便宜上、各表示ゾーンＤＺ１〜ＤＺｎが横方向に延びるように示されているが、縦軸を中間像ＴＩの位置とした場合、各表示ゾーンＤＺ１〜ＤＺｎは、特性Ｃ１に沿って延びるものとなる。
【００３７】  第１表示ゾーンＤＺ１〜第ｎ表示ゾーンＤＺｎでの表示時間は、全て等しくなっている。複数の表示ゾーンを構成する各表示ゾーンＤＺ１〜ＤＺｎでの表示時間を等しくすることで、各表示ゾーンＤＺ１〜ＤＺｎによる複合的な投影像ＩＭの表示輝度を一致させることができ、観察者であるドライバーＶＤが意図せず特定距離の像に偏って着目する傾向が生じることを防止できる。なお、用途によっては、各表示ゾーンＤＺ１〜ＤＺｎでの表示輝度に差を持たせることができる。例えば遠距離投影に対応する表示ゾーンについては、表示輝度を上げるといった処理が可能である。
【００３８】  画面内の特定の奥行き方向で異なる対象を表示する場合、距離の異なる表示対象が、奥行き方向以外の２次元平面内において重なる、又は略重なるような近い位置にあり、それらに対する表示間の干渉が発生してしまうことが考えられ、これを回避する必要がある。例えば表示ゾーンＤＺｋの表示対象に対して別の表示距離ＤＺｋ’に存在する表示対象が２次元平面内で近傍に位置していてそれぞれの対象に対する表示に干渉が生ずる場合には、干渉領域ではそれらを合成するような表示を行うことが考えられる。具体的には、一対の表示対象が重なる共通領域又は交わり領域では、一対の表示対象が半透過重畳表示されるような画像とし、一対の表示対象が重ならない差分領域又は独立領域では、各部分で標準的な表示を行えば足る。又は、色や大きさ（線の場合は太さも含む）、明るさ、及び明滅といった手法で違いを出した表示とする方法も考えられ、ドライバーＶＤに伝わるような工夫がされた各種表示方法を用いることができる。
【００３９】  以上の説明は、ドライバーＶＤの視点がアイボックスＥＢ（図１参照）内で移動しないことが前提となっているが、ドライバーＶＤの視点がアイボックスＥＢ内で移動した場合、以上の動作と並行して、表示制御部１８の制御下で第２及び第３駆動部１４ｂ，１４ｃを動作させ、表示デバイス１１をドライバーＶＤの視点に対応する位置に変位させることも可能である。具体的には、後述する装置でドライバーＶＤの視点位置を監視しており、ドライバーＶＤの視点位置がアイボックスＥＢの中央から横方向に動いて±Ｘ方向に変位した場合、第２駆動部１４ｂを動作させて表示デバイス１１の投影像（虚像）ＩＭがドライバーＶＤの視点位置の正面に近づくように、表示デバイス１１を基準位置から±Ｘ方向に適宜移動させる。同様に、ドライバーＶＤの視点位置がアイボックスＥＢの中央から縦方向に動いて±Ｚ方向に変位した場合、第２駆動部１４ｂを動作させて表示デバイス１１の投影像（虚像）ＩＭがドライバーＶＤの視点位置の正面に近づくように、表示デバイス１１を基準位置から±Ｚ方向に適宜移動させる。このような表示デバイス１１の±Ｘ方向又は±Ｚ方向の移動に伴ってドライバーＶＤから見た投影像（虚像）ＩＭが移動しないように、表示デバイス１１の表示内容は、表示デバイス１１の移動に応じたシフト、倍率変更、ゆがみ補正等が与えられ、ドライバーＶＤから見た投影像（虚像）ＩＭの整合性が維持される。表示デバイス１１の表示内容を変更する画像処理は、例えば表示制御部１８にて行われる。以上のように、ドライバーＶＤの視点位置に応じて、デバイス駆動部１４を動作させることによって表示デバイス１１を光軸ＡＸに垂直な直交２方向に移動させることにより、見かけ上大型の表示デバイスを用いたことと等価とすることができ、視点位置に応じて表示デバイス１１を移動させるため、小型の装置で視野角やアイボックスＥＢを広げることができる。
【００４０】  図８は、ヘッドアップディスプレイ装置２００の全体構造を説明する概念的ブロック図であり、ヘッドアップディスプレイ装置２００は、その一部として画像表示装置１００を含む。画像表示装置１００は、図２に示す構造を有するものであり、ここでは説明を省略する。
【００４１】  ヘッドアップディスプレイ装置２００は、画像表示装置１００のほかに、運転者検出部７１と、環境監視部７２と、主制御部９０とを備える。
【００４２】  運転者検出部７１は、ドライバーＶＤの存在やその視点位置を検出する視点検出部であり、運転席用カメラ７１ａと、運転席用画像処理部７１ｂと、判断部７１ｃとを備える。運転席用カメラ７１ａは、車体２内のダッシュボード４の運転席正面に設置されており（図１Ｂ参照）、ドライバーＶＤの頭部及びその周辺の画像を撮影する。運転席用画像処理部７１ｂは、運転席用カメラ７１ａで撮影した画像に対して明るさ補正等の各種画像処理を行って判断部７１ｃでの処理を容易にする。判断部７１ｃは、運転席用画像処理部７１ｂを経た運転席画像からオブジェクトの抽出又は切り出しを行うことによってドライバーＶＤの頭部や目を検出するとともに、運転席画像に付随する奥行情報から車体２内におけるドライバーＶＤの頭部の存否とともにドライバーＶＤの目の空間的な位置（結果的に視線の方向）を算出する。
【００４３】  環境監視部７２は、検出領域内に存在するオブジェクトを検出するオブジェクト検出部であり、前方に近接して存在する移動体や人、具体的には自動車、自転車、歩行者等をオブジェクトとして識別し、オブジェクトの３次元的な位置情報を抽出する３次元計測器を有する。環境監視部（オブジェクト検出部）７２は、３次元計測器として、外部用カメラ７２ａと、外部用画像処理部７２ｂと、判断部７２ｃとを備える。外部用カメラ７２ａは、可視又は赤外域において外界像の撮影を可能にする。外部用カメラ７２ａは、車体２内外の適所に設置されており、ドライバーＶＤ又はフロントウインドウ８の前方の検出領域ＶＦ（後述する図９参照）を外部画像として撮影する。外部用画像処理部７２ｂは、外部用カメラ７２ａで撮影した外部画像に対して明るさ補正等の各種画像処理を行って判断部７２ｃでの処理を容易にする。判断部７２ｃは、外部用画像処理部７２ｂを経た外部画像からオブジェクト画像の抽出又は切り出しを行うことによって自動車、自転車、歩行者等のオブジェクト（具体的には、後述する図９中のオブジェクトＯＢ１，ＯＢ２，ＯＢ３参照）の存否を検出するとともに、外部画像に付随する奥行情報から車体２前方におけるオブジェクトの空間的な位置を算出し３次元的な位置情報として記憶部に保管する。判断部７２ｃの記憶部には、外部画像からオブジェクト画像の抽出を可能にするソフトウエアが保管されており、外部画像からオブジェクト画像を抽出する動作時には、記憶部から必要となるソフトウエアやデータが読み出される。判断部７２ｃにより、例えば得られた画像内の各オブジェクト要素の形状、大きさ、色等から、オブジェクト要素に対応する要素が何かを検出することができる。その際の判断基準は、予め登録されている情報とのパターンマッチングを行ってマッチングの度合からオブジェクトが何かを検出する方法等がある。また、処理速度を高める観点で、画像から車線を検知し、その車線内にあるターゲット又はオブジェクト要素について、上記の形状、大きさ、色等からオブジェクトの検出を行うこともできる。
【００４４】  外部用カメラ７２ａは、図示を省略しているが、例えば複眼型の３次元カメラである。つまり、外部用カメラ７２ａは、結像用のレンズと、ＣＭＯＳ（Complementary Metal Oxide Semiconductor）その他の撮像素子とを一組とするカメラ素子をマトリックス状に配列したものであり、撮像素子用の駆動回路をそれぞれ有する。外部用カメラ７２ａを構成する複数のカメラ素子は、例えば相対的な視差を検出できるようになっており、カメラ素子から得た画像の状態（フォーカス状態、オブジェクトの位置等）を解析することで、検出領域に対応する画像内の各領域又はオブジェクトまでの目標距離を判定できる。
【００４５】  なお、上記のような複眼型の外部用カメラ７２ａに代えて、２次元カメラと赤外距離センサーとを組み合わせたものを用いても、撮影した画面内の各部（領域又はオブジェクト）に関して奥行方向の距離情報である目標距離を得ることができる。また、複眼型のカメラ７２ａに代えて、２つの２次元カメラを分離配置したステレオカメラによって、撮影した画面内の各部（領域又はオブジェクト）に関して奥行方向の距離情報である目標距離を得ることができる。その他、単一の２次元カメラにおいて、焦点距離を高速で変化させながら撮像を行うことによっても、撮影した画面内の各部（領域又はオブジェクト）に関して奥行方向の距離情報である目標距離を得ることができる。
【００４６】  また、複眼型の外部用カメラ７２ａに代えて、ＬＩＤＡＲ（Light Detection and Ranging）技術を用いても、検出領域内の各部（領域又はオブジェクト）に関して奥行方向の距離情報を得ることができる。ＬＩＤＡＲ技術により、パルス状のレーザー照射に対する散乱光を測定し、遠距離にある対象までの距離や拡がりを計測して視野内のオブジェクトまでの距離情報やオブジェクトの拡がりに関する情報を取得することができる。さらに、例えばＬＩＤＡＲ技術のようなレーダーセンシング技術と画像情報からオブジェクトの距離等を検出する技術とを組み合わせるような複合的な手法、つまり複数のセンサーをフュージョンさせる手法によって、オブジェクトの検出精度を高めることができる。
【００４７】  オブジェクトを検出するカメラ７２ａの動作速度は、入力の高速化の観点で、表示デバイス（表示素子）１１の動作速度以上である必要があり、表示ゾーンＤＺ１〜ＤＺｎの表示切替え速度又は表示ゾーンＤＺ１〜ＤＺｎの１周期の表示期間が例えば３０ｆｐｓ以上の場合、これより早くすることが望ましい。カメラ７２ａは、例えば１２０ｆｐｓより高速、例えば４８０ｆｐｓや１０００ｆｐｓといった高速動作によってオブジェクトの高速検出を可能にするものが望ましい。また、複数センサーをフュージョンさせる場合、その全てのセンサーが高速である必要は必ずしもなく、少なくとも複数センサーの内１つのセンサーは高速である必要があるが、それ以外は高速でなくても構わない。この場合、高速のセンサーで検出するデータを基本としながら、高速でないセンサーのデータで補完するという使い方で、センシング精度を上げるといった方法を用いてもよい。
【００４８】  表示制御部１８は、主制御部９０の制御下で表示デバイス１１及び表示光学系３０を動作させて、表示スクリーン２０の背後に虚像距離又は投影距離が変化する３次元的な投影像ＩＭを表示させる。
【００４９】  主制御部９０は、画像表示装置１００、環境監視部７２等の動作を調和させる役割を有する。主制御部９０は、例えば表示制御部１８を介してスクリーン駆動部である回転駆動部６４やデバイス駆動部１４を動作させることによって、表示光学系３０による投影像ＩＭである虚像の投影距離を周期的に変化させる。つまり、主制御部９０等は、投影像ＩＭである虚像の奥行き方向に関する投影位置を周期的に変化させる。また、主制御部９０は、環境監視部７２によって検出したオブジェクトの空間的な位置に対応するように、表示デバイス１１及び表示光学系３０によって投影されるフレーム枠ＨＷ（図９参照）の空間的な配置を調整する。すなわち、主制御部９０は、環境監視部７２から受信した表示形状や表示距離を含む表示情報から、表示デバイス１１及び表示光学系３０によって形成すべき投影像ＩＭに対応する画像データを生成する。投影像ＩＭの表示内容は、回転駆動部６４の動作に同期したもの、つまり中間像ＴＩの移動に同期させたものとなっている。投影像ＩＭは、例えば表示スクリーン２０の背後に存在する自動車、自転車、歩行者その他のオブジェクトに対して、その奥行き位置方向に関して周辺に位置するフレーム枠ＨＷ（図９参照）のような標識とすることができる。このフレーム枠ＨＷは、説明の便宜上奥行きのない状態で示されているが、一定の奥行き幅を有するものとなっている。以上のように、主制御部９０は、表示制御部１８と協働して像付加部として機能し、検出されたオブジェクトまでの目標距離が投影距離と略一致するタイミングで、検出されたオブジェクトに対して表示デバイス１１及び表示光学系３０を介して虚像として関連情報像を付加する。この際、主制御部９０は、表示制御部１８と協働し、視点検出部である運転者検出部７１によって得た視点位置に応じてデバイス駆動部１４を動作させ、表示デバイス１１を光軸ＡＸに垂直な２方向に移動させる制御部として機能し、視野角やアイボックスＥＢを動的に広げる役割を有する。
【００５０】  図９に示すように、観察者であるドライバーＶＤの前方は観察視野に相当する検出領域ＶＦとなっている。検出領域ＶＦ内、つまり道路及びその周辺に、歩行者等である人のオブジェクトＯＢ１，ＯＢ３や、自動車等である移動体のオブジェクトＯＢ２が存在すると考える。この場合、主制御部９０は、画像表示装置１００によって３次元的な投影像（虚像）ＩＭを投影させ、各オブジェクトＯＢ１，ＯＢ２，ＯＢ３に対して関連情報像としてのフレーム枠ＨＷ１，ＨＷ２，ＨＷ３を付加する。この際、ドライバーＶＤから各オブジェクトＯＢ１，ＯＢ２，ＯＢ３までの距離が異なるので、フレーム枠ＨＷ１，ＨＷ２，ＨＷ３を表示させる投影像ＩＭ１，ＩＭ２，ＩＭ３までの投影距離は、ドライバーＶＤから各オブジェクトＯＢ１，ＯＢ２，ＯＢ３までの距離に相当するものとなっている。
【００５１】  なお、投影像ＩＭ１，ＩＭ２，ＩＭ３の投影距離は、図７に示す表示ゾーンＤＺ１〜ＤＺｎの一部に対応する表示ゾーンＤＺａ〜ＤＺｃに形成されており、各表示ゾーンＤＺａ〜ＤＺｃに対応する奥行き幅を有する。例えば、表示ゾーンＤＺａにおいて、投影像ＩＭ１の投影距離は、図９中の投影像ＩＭ１’の投影距離の分だけ奥行き幅を有する。各投影距離の中心、つまり投影像ＩＭ１，ＩＭ２，ＩＭ３の投影距離は、離散的であり、オブジェクトＯＢ１，ＯＢ２，ＯＢ３までの現実の距離に対して、常に正確に一致させるということはできない。ただし、投影像ＩＭ１，ＩＭ２，ＩＭ３の投影距離と、オブジェクトＯＢ１，ＯＢ２，ＯＢ３までの現実の距離との差が大きくなければ、ドライバーＶＤの視点が動いても視差が生じにくく、オブジェクトＯＢ１，ＯＢ２，ＯＢ３とフレーム枠ＨＷ１，ＨＷ２，ＨＷ３との配置関係を略維持することができる。なお、運転者検出部７１、デバイス駆動部１４、表示制御部１８等を利用して、ドライバーＶＤの視点に応じて表示デバイス１１自体をシフトさせたり表示デバイス１１の表示内容をシフトさせたりすれば、元から視差が生じないような表示が可能になる。
【００５２】  図１０Ａは、図６に対応し、図１０Ｂは、図９中の投影像ＩＭ３又はフレーム枠ＨＷ３に対応し、図１０Ｃは、図９中の投影像ＩＭ２又はフレーム枠ＨＷ２に対応し、図１０Ｄは、図９中の投影像ＩＭ１又はフレーム枠ＨＷ１に対応している。図１０Ａ〜１０Ｄより明らかなように、投影像ＩＭ１は、回転体１６ａ（又は立体形状部１１６）の機能領域ＦＡ又は中間像ＴＩが表示位置Ｐ１を中心とする所定の距離範囲にあるとき、具体的には、この距離範囲に応じて図７に示す特性Ｃ１に基づいて決定される所定の表示ゾーンの表示タイミングであるときに、表示デバイス（表示素子）１１の表示面１１ａに形成される一連の表示像に対応する。同様に、投影像ＩＭ２は、回転体１６ａ（又は立体形状部１１６）の機能領域ＦＡが表示位置Ｐ２を中心とする距離範囲にあるときに表示デバイス１１の表示面１１ａに形成される一連の表示像に対応し、投影像ＩＭ３は、回転体１６ａ（又は立体形状部１１６）の機能領域ＦＡが表示位置Ｐ３を中心とする所定の距離範囲にあるときに表示デバイス１１の表示面１１ａに形成される一連の表示像に対応する。中間像ＴＩの移動を基準とする１周期でみた場合、まず表示位置Ｐ１に対応する投影像ＩＭ１又はフレーム枠ＨＷ１が表示され、次いで表示位置Ｐ２に対応する投影像ＩＭ２又はフレーム枠ＨＷ２が表示された後、表示位置Ｐ３に対応する投影像ＩＭ３又はフレーム枠ＨＷ３が表示される。以上の１周期が視覚的に短ければ、投影像ＩＭ１，ＩＭ２，ＩＭ３の切替えが非常に速くなり、観察者であるドライバーＶＤは、フレーム枠ＨＷ１，ＨＷ２，ＨＷ３を奥行きがある画像として同時に観察していると認識する。
【００５３】  図１１は、主制御部９０の動作を説明する概念図である。まず、主制御部９０は、環境監視部７２を利用してオブジェクトＯＢ１，ＯＢ２，ＯＢ３を検出した場合、オブジェクトＯＢ１，ＯＢ２，ＯＢ３に対応するフレーム枠ＨＷ１，ＨＷ２，ＨＷ３に対応する表示データを生成し、不図示の記憶部に保管する（ステップＳ１１）。その後、主制御部９０は、ステップＳ１１で得た表示データを、対応する表示ゾーンＤＺ１〜ＤＺｎに振り分けるようなデータの変換を行う（ステップＳ１２）。具体的には、オブジェクトＯＢ１，ＯＢ２，ＯＢ３の位置に応じて、対応するフレーム枠ＨＷ１，ＨＷ２，ＨＷ３を表示ゾーンＤＺ１〜ＤＺｎのいずれか１つ（図９の例では表示ゾーンＤＺａ〜ＤＺｃ）に割り当てる。次に、主制御部９０は、フレーム枠ＨＷ１，ＨＷ２，ＨＷ３に対応する表示データを割り当てた表示ゾーンＤＺ１〜ＤＺｎに適合するように加工し、不図示の記憶部に保管する（ステップＳ１３）。この適合化は、距離ゾーン（サブゾーンＬＺｋ−２〜ＬＺｋ＋１）ごとに枠画像の輪郭や配置を補正するといった画像処理を含む。その後、主制御部９０は、ステップＳ１３で適合化させた表示データを既存データと合成する（ステップＳ１４）。表示ゾーンＤＺ１〜ＤＺｎによる表示は、時間差があるものの同時並行して行われ、短時間であるが残像を残すような表示が行われるので、新たなオブジェクトＯＢ１，ＯＢ２，ＯＢ３が出現した場合、既存のオブジェクトと新たなオブジェクトとを併存させるように表示内容を組み直す必要があることを考慮したものである。最後に、主制御部９０は、ステップＳ１４で得た表示データを、回転駆動部６４の動作に同期して表示制御部１８に出力し、表示デバイス（表示素子）１１に回転体１６ａの機能領域ＦＡに応じた表示動作を行わせる（ステップＳ１５）。この際、表示制御部１８は、主制御部９０から得た視点位置に応じてデバイス駆動部１４を動作させ、表示デバイス１１を光軸ＡＸに垂直な２方向に移動させるとともに表示デバイス１１の表示内容をシフトさせる等の画像処理で修正し、投影像（虚像）ＩＭがドライバー（観察者）ＶＤの視点に適合したものになるようにする。また、表示制御部１８は、デバイス駆動部１４を利用して、表示デバイス１１の光軸ＡＸ方向の位置を機能領域ＦＡ又は中間像ＴＩの位置に適合するように移動させるとともに、フォーカス駆動部１５ｃを利用して結像光学系１５のフォーカス状態を適正に保つ。
【００５４】  図１２は、表示デバイス（表示素子）１１の動作を説明する図である。この場合、縦方向に並ぶ第１表示領域〜第ｎ表示領域は、図７等に示す第１〜第ｎ表示ゾーンＤＺ１〜ＤＺｎに対応している。回転体１６ａ（又は立体形状部１１６）の１回転に対応する１サイクルで、第１〜第ｎ表示ゾーンＤＺ１〜ＤＺｎに対応して、表示デバイス（表示素子）１１の表示面１１ａにおいて、第１表示領域〜第ｎ表示領域での表示が繰り返される。各表示領域において、信号Ｆ１〜Ｆ４は、同一の表示像が４つのサブゾーンで繰り返されることを意味し、信号Ｆ１〜Ｆ４のそれぞれにカラー表示用のＲ，Ｇ、及びＢの信号成分が含まれている。信号Ｆ１〜Ｆ４は、投影像ＩＭの表示時間に対応する時間幅を有している。
【００５５】  以上で説明した第１実施形態のヘッドアップディスプレイ装置２００又は画像表示装置１００によれば、デバイス駆動部１４が表示デバイス１１を光軸ＡＸ方向及び光軸ＡＸ方向に垂直な面内の所定方向に移動させるので、表示デバイス１１及び表示光学系３０による虚像の投影位置を変更する動作が可能になり、或いは表示光学系３０によって投影像（虚像）ＩＭの投影位置を変更しても投影像（虚像）ＩＭの画質を維持することが容易になる。また、ＤＭＤやＬＣＯＳといった小型で軽量の表示デバイス１１を用いた構成とすることで、表示デバイス１１の高速な移動又は駆動が可能となり、例えば表示デバイス１１を光軸ＡＸ方向に高速に移動させることが可能となる。これによって、観察者が３Ｄ的な虚像表示を観察することが可能となる。例えば前方の歩行者や対向車等、対象となる人や物体に重ねて虚像表示を行うことを考えた場合、対象物のある複数の距離に、ほぼ同時に表示させたい表示を行いながら３Ｄ表示を見せることが可能となり、より自然で確実に観察者の注意喚起が可能となる。
【００５６】〔第２実施形態〕  以下、第２実施形態に係る表示装置について説明する。なお、第２実施形態の表示装置は第１実施形態の表示装置を変形したものであり、特に説明しない事項は第１実施形態と同様である。
【００５７】  図１３に示すように、結像光学系１５の投影位置又は結像位置には、中間スクリーン１９が配置されている。中間スクリーン１９は、平坦面に沿って形成され、光軸ＡＸ方向に移動する光学素子である。中間スクリーン１９は、配光角を所望の角度に制御した拡散板であり、例えば摺りガラス、レンズ拡散板、マイクロレンズアレイ等が用いられる。この場合、中間スクリーン１９の有効領域が、中間スクリーン１９の機能領域となる。
【００５８】  制御部としての主制御部９０及び表示制御部１８は、スクリーン駆動部である往復駆動部２６４を介して、中間スクリーン１９の位置を周期的にシフトさせることで、中間像ＴＩの位置を図１４に示すように周期的に往復移動させて投影距離を周期的に変化させつつ、表示デバイス１１に形成する画像を投影距離に応じたものとする。具体的には、往復駆動部２６４を構成するガイド部２６４ａとアクチュエーター２６４ｂとによって中間スクリーン１９を光軸ＡＸ方向に往復移動させることで投影距離を周期的に変化させる。
【００５９】  中間像ＴＩの位置を図１４に示す三角波形の経時パターンＰＡとする場合、又は図示していないが例えばサインカーブで周期的に往復移動させる場合、図７に示す表示ゾーンＤＺ１〜ＤＺｎを近距離から遠距離に順次切替えるように変化させた後、表示ゾーンＤＺ１〜ＤＺｎを遠距離から近距離に順次切替えるように変化させることを１サイクルとして、同様のサイクルを繰り返す動作を行うことになる。中間像ＴＩの位置をサインカーブで周期的に往復移動させる場合、表示ゾーンＤＺ１〜ＤＺｎは図７に示すようなものとは異なるものとなり、表示時間もそれに合わせたものとする。
【００６０】〔その他〕  以上では、具体的な実施形態としてのヘッドアップディスプレイ装置２００について説明したが、本発明に係る表示装置は、上記のものには限られない。例えば、デバイス駆動部１４のうち第１駆動部１４ａのみを用い、第２及び第３駆動部１４ｂ，１４ｃについては省略することができる。この場合、表示デバイス１１を光軸ＡＸ方向にのみ移動させることになる。また、デバイス駆動部１４のうち第２及び第３駆動部１４ｂ，１４ｃのみを用い、第１駆動部１４ａについては省略することができる。この場合、表示デバイス１１を光軸ＡＸに垂直な面内のＸ方向又はＺ方向に移動させることになる。さらに、この場合において、第２及び第３駆動部１４ｂ，１４ｃのうち第２駆動部１４ｂのみを設けて第３駆動部１４ｃを省略すれば、ドライバーＶＤの視点位置に応じて表示デバイス１１を光軸ＡＸに垂直なＸ方向又は横方向に移動させることができる。
【００６１】  また、第１実施形態において、画像表示装置１００の配置を上下反転させて、フロントウインドウ８の上部又はサンバイザー位置に表示スクリーン２０を配置することもでき、この場合、投影ユニット１０の斜め下方前方に表示スクリーン２０が配置される。また、表示スクリーン２０は、自動車の従来のミラーに対応する位置に配置してもよい。
【００６２】  以上では、中間スクリーン１９又は機能領域ＦＡを本体光学系１３の光軸ＡＸ方向に対して略直交するように配置するとしたが、機能領域ＦＡを光軸ＡＸに対して強制的に傾けることもできる。この場合、虚像形成光学系１７との組み合わせによって傾きが無いか又は所定の傾きの投影像ＩＭを投影することができる。
【００６３】  以上で説明した第１〜第ｎ表示ゾーンＤＺ１〜ＤＺｎについては、投影距離の全範囲に亘って連続的である必要はなく、距離ゾーン（サブゾーンＬＺ１〜ＬＺｎ）の境界に対応する部分で分離した不連続なものであってもよい。また、表示ゾーンＤＺ１〜ＤＺｎは、同一数のサブゾーンを含むものに限らず、表示ゾーンＤＺ１〜ＤＺｎごとに異なる数のサブゾーンを含ませることができる。
【００６４】  第１実施形態では、拡散部１６において、１つの中間スクリーン１９を設けているが、２つ以上の中間スクリーン１９を設けもよい。この場合、中間スクリーン１９は、螺旋の１／２ピッチ、１／３ピッチ等に対応する範囲に分割されて形成されることになる。
【００６５】  中間スクリーン１９の立体形状部１１６は、全周に亘って螺旋形状である必要はなく、全周の内の一部が螺旋となっている形状や、段差なく往復運動が可能となる回転体構造も考えられる。
【００６６】  拡散部１６において、中空枠体１６ｂは必須でなく、回転体１６ａのみとすることができる。この場合も、段差部１６ｊに傾斜した接続面１６ｋを形成しているので、回転体１６ａの回転に伴う音の発生を抑制することができ、回転体１６ａの回転を安定化させることができる。
【００６７】  上記実施形態において、表示スクリーン２０の輪郭は、矩形に限らず、様々な形状とすることができる。
【００６８】  図２に示す結像光学系１５や虚像形成光学系１７は、単なる例示であり、これら結像光学系１５及び虚像形成光学系１７の光学的構成については適宜変更することができる。
【００６９】  以上では、環境監視部７２によって車体２の前方に存在するオブジェクトＯＢを検出し、画像表示装置１００にオブジェクトＯＢの配置に対応するフレーム枠ＨＷ１，ＨＷ２，ＨＷ３といった関連情報像を表示しているが、オブジェクトＯＢの有無に関わらず、通信ネットワークを利用して付随的な運転関連情報を取得し、このような運転関連情報を画像表示装置１００に表示させることができる。例えば死角に存在する車、障害物等を警告するような表示も可能である。
【００７０】  以上では、中間スクリーン１９を介して虚像の投影を行っているが、中間スクリーン１９を用いないで表示デバイス１１に形成された像を直接的に投影することもできる。
【００７１】  本発明の表示装置は、車その他の移動体に搭載されるヘッドアップディスプレイ装置（ＨＵＤ）に限らず、３次元表示を行うヘッドマウント装置、ウェアラブルディスプレイ装置等に適用することができる。
【図１】
2019151314.tif 000003
【図２】
2019151314.tif 000004
【図３】
2019151314.tif 000005
【図４】
2019151314.tif 000006
【図５】
2019151314.tif 000007
【図６】
2019151314.tif 000008
【図７】
2019151314.tif 000009
【図８】
2019151314.tif 000010
【図９】
2019151314.tif 000011
【図１０】
2019151314.tif 000012
【図１１】
2019151314.tif 000013
【図１２】
2019151314.tif 000014
【図１３】
2019151314.tif 000015
【図１４】
2019151314.tif 000016
【国際調査報告】
2019151314.tif 000017
2019151314.tif 000018
2019151314.tif 000019
2019151314.tif 000020